(57)【要約】【課題】録画した番組の検索をするときに利用する録画情報において、録画したチャンネルや録画した日時だけでなく、録画した番組のタイトルを付加することにより、より分かり易く簡単な検索ができる記録再生装置を実現する。【解決手段】番組情報要求部１０７が所望の通信網を介して接続される番組情報供給サーバー１１０に対して現在記録されている番組についての情報を要求し、番組情報供給サーバー１１０から入手したタイトル情報を録画情報記憶部１０６に記憶させることにより、録画終了後に番組検索をする際に、番組のタイトルが簡単に付加および表示可能となるので、見たい番組の検索を容易にすることが可能となる。【選択図】  図１
2004259313.tif 000002
【特許請求の範囲】
【請求項１】
選局された番組を記録媒体に対し記録再生する記録再生装置であって、
前記記録媒体に記録された番組に関する情報を記憶する録画情報記憶部と、
番組に関する情報を提供する番組情報供給サーバーに所定の通信網を介して接続する接続部と、
前記接続部を介し前記番組情報供給サーバーに所望の番組の情報を要求する番組情報要求部と、
前記番組情報供給サーバーから前記接続部を介して前記要求に伴い得た情報から必要な情報を抜き出す番組情報検出部とを備え、
前記録画情報記録部は、前記番組情報検出部からの番組に関する情報を記憶する記録再生装置。
【請求項２】
前記番組情報供給サーバーから得る情報には、少なくとも番組のタイトルを含むことを特徴とする請求項１記載の記録再生装置。
【請求項３】
前記番組情報要求部は、現在録画している番組に対する情報を要求することを特徴とする請求項１記載の記録再生装置。
【請求項４】
前記番組情報要求部は、前記録画情報記憶部に記録された録画番組の履歴に基づいて、番組に対する情報を要求することを特徴とする請求項１記載の記録再生装置。
【発明の詳細な説明】
【０００１】
【発明の属する技術分野】
本発明は、インターネット等の通信網に接続できる機能を有する記録再生装置に関する。
【０００２】
【従来の技術】
従来、ビデオテープレコーダや光ディスクビデオレコーダのような記録再生装置は、記録された番組の内容が簡単に確認及び検索できるように、記録した番組に関する情報を記憶した一覧表を備える場合がある。このような装置としては、例えば、特許文献１に記載されたものが挙げられる。
【０００３】
以下に従来の記録再生装置について図３を用いて説明する。図３は、従来の記録再生装置の構成を示すブロック図である。同図において、２０１は現在の日時を運針している時計部であり、２０２は記録開始や停止をユーザーが操作するための操作部であり、２０３は放送チャンネルを選局する選局部であり、２０４は記録再生装置の各部を制御する制御部であり、２０５は選局部２０３からの映像信号を記録再生する記録再生部であり、２０６は記録再生部２０５に記録された番組に対応する録画情報（記録開始時刻、記録終了時刻、チャンネル、記録媒体上の記録位置等）を記憶する録画情報記憶部であり、２０７は制御部２０４からのデータを記録再生部２０５からの映像信号に重畳し、外部のモニター等に出力するオン・スクリーン・ディスプレイ回路（ＯＳＤ）である。
【０００４】
以上のように構成された従来の記録再生装置について、以下、その動作について説明する。
【０００５】
ユーザーが操作部２０２にて、番組の記録開始動作を行うと、操作部２０２から制御部２０４へ記録開始指令が出力される。制御部２０４は、この記録開始指令に基づき、記録再生部２０５に選局部２０３で選局された番組の録画を開始させ、また、時計部２０１から現在（記録開始時）の日時を、選局部２０３から選択中のチャンネルを、記録再生装置２０５から記録媒体上の記録位置情報を入手し、これらを録画情報として録画情報記録部２０６に記憶させる。その後、ユーザが操作部２０２にて、番組の記録停止操作を行うと、操作部２０２は、制御部２０４へ記録停止指令を送る。制御部２０４が操作部２０２からの指令を受けると、記録再生部２０５に対して番組の記録を停止させ、また、時計部２０１より現在（記録終了時）の日時を入手し、先程、録画番組情報部２０６に記憶させた録画情報に、記録を停止した時刻を追加する。ユーザーが番組の記録開始／停止を繰り返すごとに、上記のような動作を行うと、録画情報記憶部２０６には、今までにどのような番組が記録されたかが記憶される。
【０００６】
この録画情報を、再生時の際に録画情報記憶部２０６から読み出し、ＯＳＤ２０７を介して、図４のように、記憶されている録画日、チャンネル、録画時間、記録スピードのモードなどを表示させる。そして、このような一覧表を表示させることで、ユーザーが見たい映像や番組の検索をする際に役立てることができる。
【０００７】
【特許文献１】
特開平６−６０６２０号公報
【０００８】
【発明が解決しようとする課題】
しかしながら上記の従来の構成では、録画情報記憶部２０６に記憶される録画情報が、記録再生装置内で得られる記録開始時刻、記録終了時刻、記録したチャンネルなどに限られるため、見たい映像を検索する際、記録された日時とチャンネルから記録されている番組を推測して検索しなければならず、非常に分かり難いという問題点を有していた。
【０００９】
本発明は上記従来の問題点を解決するもので、録画情報記憶部２０６の中に番組のタイトル情報を追加することにより、見たい映像や番組を、そのタイトルを使って、簡単に検索できる記録再生装置を提供することを目的とする。
【００１０】
【課題を解決するための手段】
この目的を達成するために本発明の記録再生装置は、記録媒体に記録された番組に関する情報を記憶する録画情報記憶部と、番組に関する情報を提供する番組情報供給サーバーに所定の通信網を介して接続する接続部と、接続部を介し番組情報供給サーバーに所望の番組の情報を要求する番組情報要求部と、番組情報供給サーバーから接続部を介し得た情報から必要な情報を抜き出す番組情報検出部とを備え、録画情報記録部は、番組情報検出部からの番組に関する情報を記憶するものである。
【００１１】
これにより、何ら手間をかけずに番組のタイトル情報などを入手でき、これを録画情報に追加記録でき、検索が容易なインデックスを提供することができる。
【００１２】
【発明の実施の形態】
本発明の請求項１に係る発明は、選局された番組を記録媒体に対し記録再生する記録再生装置であって、前記記録媒体に記録された番組に関する情報を記憶する録画情報記憶部と、番組に関する情報を提供する番組情報供給サーバーに所定の通信網を介して接続する接続部と、前記接続部を介し前記番組情報供給サーバーに所望の番組の情報を要求する番組情報要求部と、前記番組情報供給サーバーから前記接続部を介し前記要求に伴い得た情報から必要な情報を抜き出す番組情報検出部とを備え、前記録画情報記録部は、前記番組情報検出部からの番組に関する情報を記憶する記録再生装置である。
【００１３】
また、請求項２に係る発明は、前記番組情報供給サーバーから得る情報には、少なくとも番組のタイトルを含むことを特徴とする請求項１記載の記録再生装置である。
【００１４】
また、請求項３に係る発明は、前記番組情報要求部は、現在録画している番組に対する情報を要求することを特徴とする請求項１記載の記録再生装置である。
【００１５】
また、請求項４に係る発明は、前記番組情報要求部は、前記録画情報記憶部に記録された録画番組の履歴に基づいて、番組に対する情報を要求することを特徴とする請求項１記載の記録再生装置である。
【００１６】
これにより、録画番組に関する情報を番組情報供給サーバーから取得し、これを録画情報記録部にて記憶することで、従来以上に充実した録画履歴をユーザーの手を煩わせることなく作成することができる。
【００１７】
以下、本発明の実施の形態について、図面を用いて説明する。
【００１８】
（実施の形態１）
図１は、本発明の実施の形態１における記録再生装置の構成を示すブロック図である。
【００１９】
図１において、１００が本実施の形態による記録再生装置であり、１１０は番組情報を管理及び配信する番組情報供給サーバーである。記録再生装置１００は、インターネットなどの所定の通信網を介して番組情報供給サーバー１１０に接続されている。
【００２０】
また、１０１は現在の日時を運針する時計部であり、１０２は映像信号及び音声信号の記録開始や停止をユーザーが操作するための操作部であり、１０３は放送チャンネルを選局する選局部であり、１０４は記録再生装置１００の各部を制御する制御部であり、１０５は選局部１０３で選局した番組を記録再生する記録再生部であり、１０６は記録再生部１０５に記録された番組に対応する録画情報（記録開始時刻、記録終了時刻、チャンネル、記録した番組のタイトル等の付加情報、記録媒体上の記録位置等）を記憶する録画情報記憶部であり、１１１は制御部１０４からのデータを記録再生部１０５からの映像信号に重畳し、外部のモニター等に出力するオン・スクリーン・ディスプレイ回路（ＯＳＤ）である。１０８は外部のインターネット上に存在する番組情報供給サーバー１１０に接続するための接続部であり、１０７はその番組情報供給サーバー１１０に所望の番組情報を要求する番組情報要求部であり、１０９はその番組情報供給サーバー１１０から送られてきた情報の中から番組情報を検出して抜き出す番組情報検出部である。
【００２１】
番組情報供給サーバー１１０は、例えば、インターネット上に存在し、番組情報を管理している。番組情報供給サーバー１１０で管理する番組情報は、例えば、放送番組表として、番組情報を管理しており、日時、チャンネルなどの情報によって、番組を特定することができ、特定した番組に関する情報を配信するものである。
【００２２】
以上のように構成された本実施の形態による記録再生装置について、以下、その動作について説明する。
【００２３】
ユーザーが操作部１０２にて、番組の記録開始操作を行うと、操作部１０２は、制御部１０４へ記録開始指令を送る。制御部１０４が操作部１０２からの指令を受けると、記録再生部１０５に選局部１０３が選局している番組の記録を開始させ、記録再生部１０５から入手した記録媒体上の記録位置情報とともに、時計部１０１より入手した現在（記録開始時）の日時、選局部１０３より入手した現在受信中のチャンネルを録画情報記憶部１０６に記憶させ、その情報（現在時刻とチャンネル）を番組情報要求部１０７に送ると、番組情報要求部１０７は、接続部１０８を通して外部のインターネット上の存在する番組情報供給サーバー１１０に、その情報を送る。要求情報を受け取った番組情報供給サーバー１１０は、送られてきた時刻に送られてきたチャンネルで放送されている番組の番組タイトルを、送られてきた情報に付加して送り返す。
【００２４】
ここで、番組情報要求部１０７から送る時刻情報は、選局部１０３の誤差を含む場合もあるので、ずれた番組の情報を取得するのを避けるために、記録開始時刻から少し遅れた値としてもよい。
【００２５】
番組情報供給サーバー１１０より送られてきた情報は、接続部１０８を通して番組情報検出部１０９に送られ、番組情報検出部１０９は、そこから番組タイトル情報を抜き出して、制御部１０４に送る。制御部１０４は、先程、番組情報記憶部１０６に記憶した情報に、このタイトル情報を付加して記憶する。
【００２６】
その後、ユーザーが操作部１０２にて、番組の記録停止操作を行うと、操作部１０２は、制御部１０４へ記録停止指令を送る。制御部１０４が、操作部１０２からの指令を受けると、記録再生部１０５に番組の記録を停止させ、また、時計部１０１より現在（記録終了時）の日時を入手し、先ほど録画情報記憶部１０６に記憶させた情報に、記録を停止した時刻を追加する。ユーザーが記録開始／停止を繰り返すごとに、上記のような動作を行うことで、録画情報記憶部１０６には、今までにどのような内容が記録されたかが記憶される。
【００２７】
この録画情報を、再生時の際に録画情報記憶部１０６から読み出し、ＯＳＤ１１１を介して、図２のように、記憶されている録画日、チャンネル、録画時間、記録スピードのモード、番組タイトルなどを表示させる。そして、ユーザーが見たい映像の検索をする際に、その番組のタイトルを使用して検索することができる。具体的的には、ユーザーが選択した番組は、録画情報記憶部１０６に記憶されている記録媒体上の位置情報に基づき頭出し動作が行われる。このように、本実施の形態では、図２に示されるような表示が可能となるため、見たい映像を一目瞭然で、簡単に検索できる記録再生装置が実現できる。
【００２８】
以上のように本実施の形態によれば、録画情報記憶部１０６に、記録を開始／終了した時間や記録したチャンネルだけでなく、記録した番組のタイトル情報を付加して記憶させることにより、番組タイトルがない場合に比べて、より簡単に、よりスムーズに見たい番組の検索ができるといった点で使い勝手に非常に優れている。
【００２９】
また、番組タイトルは、ユーザーが一々記録する必要がなく、自動的に得られるので、大変便利である。また、電子番組表（ＥＰＧ）を処理するための特別な構成や手段を必要としないので、選局部を分離して構成される記録再生装置においても適用可能である。
【００３０】
なお、上記実施の形態では、ユーザーの操作により録画開始／終了を行う場合について説明したが、タイマー予約による録画開始／終了を行う場合であってもよい。
【００３１】
また、上記実施の形態では、番組情報要求部１０７から番組情報供給サーバー１１０に情報を要求するタイミングは、録画を開始した後と説明したが、録画を終了した後でもよい。この場合は、録画情報記録部１０６に記録されている録画日時やチャンネルを一旦読み出してから、番組情報供給サーバー１１０に番組情報を要求するように構成すればよい。
【００３２】
また、上記実施の形態では、録画情報記録部１０６に記録する番組情報の一例として、録画日時、チャンネル、記録のモード、番組タイトルを示したが、これらに限定されるものではなく、ジャンル、出演者、概略など、番組情報供給サーバー１１０が管理し配信可能な情報であれば、番組情報として記録する様に構成できることは明らかである。
【００３３】
また、上記実施の形態では、記録再生部１０５における記録媒体について特に言及しなかったが、磁気テープ、磁気ディスク、光ディスク、光磁気ディスク、半導体メモリ等、如何なる媒体であってもよい。
【００３４】
また、上記実施の形態では、録画情報記憶部１０６における具体的構成について特に言及しなかったが、不揮発性の半導体メモリが望ましい。また、揮発性の半導体メモリでも、番組情報を記録再生部１０５により記録媒体に記録する様に構成し、記録媒体の着脱毎に録画情報記録部１０６との間で番組情報のやり取りを行うことで、プログラム検索に使用できることは言うまでもない。
【００３５】
【発明の効果】
以上のように本発明は、所望の通信網に存在する番組情報供給サーバーから所望の番組情報を取得し、録画情報記憶部に、記録を開始／終了した時間や記録したチャンネルだけでなく、記録した番組のタイトル情報を付加して記憶させることにより、録画履歴情報を簡便に充実させることができ、番組タイトル等がない場合よりも、スムーズに見たい番組の検索ができる記録再生装置を提供することができるという優れた効果が得られる。
【図面の簡単な説明】
【図１】本発明の実施の形態１における記録再生装置の構成を示すブロック図
【図２】同記録再生装置で記憶した記録番組情報をリスト表示させたときの概念図
【図３】従来の記録再生装置の構成を示すブロック図
【図４】従来の記録再生装置で記憶した記録番組情報をリスト表示させたときの概念図
【符号の説明】
１００  記録再生装置
１０１  時計部
１０２  操作部
１０３  選局部
１０４  制御部
１０５  記録再生部
１０６  録画情報記憶部
１０７  番組情報要求部
１０８  接続部
１０９  番組情報検出部
１１０  番組情報供給サーバー
１１１  ＯＳＤ
【図１】
2004259313.tif 000003
【図２】
2004259313.tif 000004
【図３】
2004259313.tif 000005
【図４】
2004259313.tif 000006